(57)【要約】【課題】外観を良好に保ちつつ、筐体外表面及び内部間の確実な導通が可能な電子機器を提供する。【解決手段】絶縁物からなり、穴部を有する前記第１の成型体と絶縁物からなり、前記第１の成型体と閉じ合わされる内底面から突出したリブを含む第２の成型体と、前記第２の成型体の内面と接するように設置された導電線を有する基板と、前記穴部に挿入され筒形状を有する第１の導電性部材と、前記穴部と前記第１の導電性部材との間に挟まれ固定される導電パターンと、前記第１の導電性部材の導電パターンと接する方とは反対側の端部と前記導電線とを接続する第２の導電性部材と、前記第１の導電性部材を介し前記穴部から前記リブを止めるネジとを有することを特徴とする電子機器が提供される。【選択図】図２
2009027019.tif 000002
【特許請求の範囲】
【請求項１】
絶縁物からなり、穴部を有する前記第１の成型体と
絶縁物からなり、前記第１の成型体と閉じ合わされる内底面から突出したリブを含む第２の成型体と、
前記第２の成型体の内面と接するように設置された導電線を有する基板と、
前記穴部に挿入され筒形状を有する第１の導電性部材と、
前記穴部と前記第１の導電性部材との間に挟まれ固定される導電パターンと、
前記第１の導電性部材の導電パターンと接する方とは反対側の端部と前記導電線とを接続する第２の導電性部材と、
前記第１の導電性部材を介し前記穴部から前記リブを止めるネジと
を有することを特徴とする電子機器。
【請求項２】
前記穴部及び前記第１の導電性部材はテーパ部を有することを特徴とする請求項１記載の電子機器。
【請求項３】
前記導電パターンは前記穴部のテーパ部及び前記第１の導電性部材のテーパ部の間に挟まれ固定されることを特徴とする請求項２記載の電子機器。
【請求項４】
リブは複数であることを特徴とする請求項１記載の電子機器。
【請求項５】
穴部は複数であることを特徴とする請求項１記載の電子機器。 
【発明の詳細な説明】
【技術分野】
【０００１】
本発明は、電子機器に関する。
【背景技術】
【０００２】
携帯電話、ＰＤＡ（Personal Digital Assistant）などの折りたたみ式及びスライド式電子機器の筐体は、上側筐体と下側筐体とで構成される。この場合、例えば、上側筐体は表示部とされ、下側筐体はキーボード部などを含む操作部とされる。
【０００３】
それぞれの筐体は、２つの成型体を含み、液晶表示装置、キーボード部、電子部品が配置された基板、二次電池などが筐体に収納される。
【０００４】
アンテナパターンなどの導電パターンを離間した基板等に接続、給電する場合、ピン状の部材、例えば信号導通用部材１０を設けて給電する構造がある。（特許文献１）。
【特許文献１】特開２００４−１９３８７５号公報
【発明の開示】
【発明が解決しようとする課題】
【０００５】
しかし、給電目的のために新たにスペースを確保すると部品配置にも制約が生じるばかりか構造が複雑になる。本発明は、組立工数の削減ができる電子機器を提供する。
【課題を解決するための手段】
【０００６】
本発明の一態様によれば、絶縁物からなり、穴部を有する前記第１の成型体と
絶縁物からなり、前記第１の成型体と閉じ合わされる内底面から突出したリブを含む第２の成型体と、前記第２の成型体の内面と接するように設置された導電線を有する基板と、
前記穴部に挿入され筒形状を有する第１の導電性部材と、前記穴部と前記第１の導電性部材との間に挟まれ固定される導電パターンと、前記第１の導電性部材の導電パターンと接する方とは反対側の端部と前記導電線とを接続する第２の導電性部材と、前記第１の導電性部材を介し前記穴部から前記リブを止めるネジとを有することを特徴とする電子機器が提供される。
【発明の効果】
【０００７】
本発明により、組立工数の削減ができる電子機器を提供する。
【発明を実施するための最良の形態】
【０００８】
以下、図面を参照しつつ本発明の実施の形態について説明する。本実施例では、携帯電話を構成する筐体を例に挙げて説明をする。  
図１は、本発明の実施の形態にかかる第１の筐体５を示している。図１は筐体斜視図、図２は図１のＡ―Ａの断面斜視図である。図３は図１の鎖線Ａ−Ａの断面図である。図１〜３から分かるように、本実施の形態は第１の成型体１、第２の成型体２、プリント基板７、金属端子９、導電パターン１１、導電スリーブ１３、ネジ１５からなる。
【０００９】
次に図４〜図９を用いて各部材の説明をする。
【００１０】
図４に示されるように第２の成型体２は四隅にリブ２b及びリブ２bの内側に４つの凸部２aを有している。凸部２a上にプリント基板７が載置される。
【００１１】
図５に示されるようにプリント基板７上には２本の導電線７aが含まれる。２本の導電線７aはプリント基板の辺の近辺に配置され、向かい合う辺に平行に載置されている。
【００１２】
図６は金属端子９である。金属端子９は凹部９a及びばね部９bを有している。凹部９aの中央には穴部９cが形成されている。
【００１３】
金属端子９は筐体内で４つ用いられ、凹部９aはそれぞれ導電線７aと接するように載置される。また、穴部９cはそれぞれリブ２b上に載置される。請求項中、金属端子９は第２の導電性部材と記載している。
【００１４】
図７は第１の成型体を示している。第１の成型体１の四隅には穴部１aが設けられている。穴部１aは第１の成型体１の厚み方向にテーパ形状を有している。このテーパ形状は穴部１aの上方に載置されるようにする。第１の成型体１を第２の成型体２に蓋をするように載置する。第１の成型体１及び第２の成型体２は例えばポリカーボネート、ABSからできている。次に第１の成型体１の外側の面に導電パターンを印刷する。印刷の代わりに板金等を貼り付けても良い。また、アンテナパターンに限定されず電子部品などと接続するためのものでもよい。
【００１５】
次に図８、９に示される４つの導電スリーブ１３をそれぞれ導電パターン１１上に載置する。導電スリーブ１３はテーパ部１３aと円筒部１３bとからなる。円筒部１３bをリング部１１a、穴部１aに挿入し円筒部１３bの先端がばね部９bに接するように載置する。テーパ部１３aはリング部１１aに接している。導電スリーブ１３は例えば銅、鉄、ニッケル等のメッキからできている。請求項中、導電スリーブ１３は第１の導電性部材と記載している。
【００１６】
穴部1aのテーパの勾配、リング部１１aのテーパの勾配、及び導電スリーブ１３のテーパの勾配は略同一である。よって互いに接触した状態で重ね合わせることができる。
【００１７】
次にネジ１５を導電スリーブ１３、導電パターン１１の穴部１１a、金属端子９の穴部９cに通しリブ２bの雌ネジ部へ組み込みネジ止めする。
【００１８】
以上の部材が組み合わさることで第１の筐体５を構成している。また、この第１の筐体５は第２の筐体６と組み合わせることで携帯電話を構成する（図１０）。第２の筐体６には液晶表示装置を含む表示部１０aや操作部１０bを有している。また、第１の筐体５が表示部や操作部を有していてもよい。
【００１９】
よって、基板７上の導電部７aと金属端子９が接触し、金属端子９と導電スリーブ１３が接触し、導電スリーブ１３と導電パターン１１が接触している。その結果、導電パターン１１は、基板から給電が可能となる。
【００２０】
また、操作部はキーボード、電子回路が載置されたガラスエポキシなどからなる基板、二次電池などを含んでいる。なお、図１０は、折りたたみ式電子機器を表しているが、スライド式構造であっても良い。
【００２１】
次に導電スリーブ１３の作用について説明する。ネジ１５が第１の成型体１を貫通するように設けられている。導電スリーブ１３はネジ１５の外周を囲むように第１の成型体１を貫通して設けられている。導電スリーブ１３はテーパ部１３aと円筒部１３bとからなっている。一方でネジ１５は頭部１５a、溝部１５bとからなる（図３）。頭部１５aはテーパを有している。導電スリーブ１３のテーパ部１３aのテーパは、ネジ１５の頭部１５aのテーパと略同一であることが望ましい。ネジ１５を回しリブ２bへねじ込むことで、頭部１５aに第１の成型体１に向けた圧力を加えたとき、頭部１５aによって導電スリーブ１３のテーパ部１３aと導電パターン１１との接触面積が増し、効率良く接触させることができる。また、円筒部１３bは、ばね部９bに接する位の十分な長さが必要である。本実施の形態では円筒部１３bの外形は円柱状としているが、これに限るものではなく、角柱状でも良い。
【００２２】
次に金属端子９の作用について説明する。金属端子９は矩形状である。底部を導電部７aに接するための凹部９aを有する。また、導電スリーブ１３と接するためのばね部９bを有している。ばね形状にすることで、導電スリーブ１３とばね部９bとの接触圧が一定に保たれる。金属端子９は矩形状に限らず、その他の形状でもよい。また、凹部９aは凹形状に限らず、ばね形状にしてもその他の形状でもよい。ばね部９bのばね形状に限るものではない。
【００２３】
本発明は、第１の成型体１と第２の成型体２とを固定するためのそれぞれのねじ穴を利用し、効率の良い給電の仕方を提案している。
【００２４】
ここで、アンテナパターンについて説明を補足する。  
図１１は、アンテナの構造を表す模式図であり、図１１（ａ）はモノポールアンテナ、図１１（ｂ）はダイポールアンテナの場合である。モノポールアンテナのアンテナパターン２０の長さは約４分の１波長である。給電部５０はモノポールアンテナの一方の端部と接地５２とに接続されアンテナを励振する。
【００２５】
接地５２は、例えば基板４０の裏面などに設けられ図１１（ａ）の破線の影像により２分の１波長のアンテナのように作用する。第１の成型体１０を構成する材料の誘電率が１より大きいために、波長は自由空間より短縮されアンテナパターン２０が小型化できる。
【００２６】
図１１（ｂ）はダイポールアンテナである。アンテナの長さは、約２分の１波長である。アンテナパター２０の中間点において２分割されたそれぞれは、給電部５０に接続されアンテナが励振される。給電部５０は基板４０の上に設けられ、導電パターン４２によりアンテナパターン２０と接続される。他のアンテナとしては、逆Ｆアンテナ、ループアンテナ、折り返しモノポールアンテナ、折り返しダイポールアンテナなどを用いることもできる。
【００２７】
本実施形態において、ネジ止め用の第１の成型体１の穴部１aから複数の導電パターン１１に給電することが容易である。このようにするとマルチバンドに対応した複数のアンテナパターン１１を設けることが容易となる。
【００２８】
この結果、ＧＳＭ（Global System for Mobile Communication）、ＤＣＳ（Digital Cellular System）／ＰＣＳ（Personal Communications Service）などの携帯電話トリプルバンドのみならず、無線ＬＡＮ、ＦＭ及びＡＭ放送、ＧＰＳ（Global Positioning System）、地上ディジタル放送を受信するワンセグなどを含めて送受信機能を拡大できる。さらに、安定な電気的接続を保ちつつ、小型化及び薄型化が可能な電子機器が提供される。
【００２９】
なお、以上の実施形態において導電パターンがアンテナパターンである場合の説明を行ったが、本発明はこれに限定されない。半導体素子を含む回路部品との配線のための導電パターンであっても本発明に包含される。
【００３０】
以上の実施の形態においては、第１の筐体５及び第２の筐体６を含む折りたたみ式の電子機器について説明した。しかし、本発明はこれに限定されない。スライド式電子機器であっても良い。また、２つの筐体を重ね合わせることなく、ひとつの筐体であっても良い。
【００３１】
以上、図面を参照しつつ本発明の実施の形態について説明した。しかし、本発明はこれら実施の形態に限定されない。電子機器を構成する筐体、導電部材、導電パターン、基板、給電部、アンテナパターンなどに関して、当業者が各種設計変更を行ったものであっても本発明の主旨を逸脱しない限り本発明に包含される。
【図面の簡単な説明】
【００３２】
【図１】本発明の実施の形態にかかる電子機器を示す斜視図である。
【図２】本発明の実施の形態にかかる電子機器の断面を表す斜視図である。
【図３】本発明の実施の形態にかかる電子機器を示す断面図である。
【図４】本発明の実施の形態にかかる電子機器を構成する一部品を示す断面図である。
【図５】本発明の実施の形態にかかる電子機器を構成する一部品を示す断面図である。
【図６】本発明の実施の形態にかかる電子機器を構成する一部品を示す断面図である。
【図７】本発明の実施の形態にかかる電子機器を構成する一部品を示す断面図である。
【図８】本発明の実施の形態にかかる電子機器を構成する一部品を示す断面図である。
【図９】本発明の実施の形態にかかる電子機器を構成する一部品を示す断面図である。
【図１０】電子機器を示す斜視図である。
【図１１】アンテナパターンを説明する模式図である。
【符号の説明】
【００３３】
１  第１の成型体、１a  穴部、２  第２の成型体、２b  リブ、７  基板、９  金属端子、１１  導電パターン、１３  導電スリーブ、  １３a  テーパ部、  １５  ネジ 
【図１１】
2009027019.tif 000003
【図１】
2009027019.tif 000004
【図２】
2009027019.tif 000005
【図３】
2009027019.tif 000006
【図４】
2009027019.tif 000007
【図５】
2009027019.tif 000008
【図６】
2009027019.tif 000009
【図７】
2009027019.tif 000010
【図８】
2009027019.tif 000011
【図９】
2009027019.tif 000012
【図１０】
2009027019.tif 000013